(57)【要約】  システムは、薬剤リザーバと、薬剤をリザーバから放出するための薬剤放出手段とを備え、当該薬剤放出手段は、ユーザが薬剤リザーバから放出されるべき薬剤用量を設定することを可能にする設定手段と、設定された用量を放出するために当該薬剤放出手段を駆動または解放するための作動手段とを備える。システムは、放出手段によってリザーバから放出される薬剤の量に関連する特性を表すデータを捕捉および記憶するように適合されている第１の電子データ処理システムと、外部ソースからのデータを受信および記憶するように適合されている第２の電子データ処理システムとをさらに備え、システムは、第２の電子データ処理システムによって処理されたコードまたはデータが第１の電子データ処理システムによって処理されることを許可しないように構成される。【選択図】図２
2014524297.tif 000002
【特許請求の範囲】
【請求項１】
薬剤送達デバイス（１００、２００）であって、
薬剤リザーバまたは薬剤リザーバを受け入れるための手段と、
一定量の薬剤を前記リザーバから放出するための薬剤放出手段（２１０）であって、
ユーザが前記薬剤リザーバから放出されるべき用量を設定することを可能にする設定手段（１２０）と、
設定された用量を放出するために前記薬剤放出手段を駆動および解放するための作動手段（１３０）と
を備える、薬剤放出手段と、
前記放出手段によって前記リザーバから放出される前記薬剤の量に関連する特性を表すデータを捕捉および記憶するように適合されている第１の電子データ処理システム（２１５）と、
外部ソースからのデータを受信および記憶するように適合されている第２の電子データ処理システム（２２５）と
を備え、
前記薬剤送達デバイスは、前記第２の電子データ処理システムから前記第１の電子データ処理システムへコードまたはデータが転送されることを許可しないように構成され、
前記第１の電子データ処理システムと前記第２の電子データ処理システムとの間のデータ転送はハードウェア設計によって制御される、薬剤送達デバイス。
【請求項２】
前記第１の電子データ処理システムは第１のプロセッサを備え、前記第２の電子データ処理システムは第２のプロセッサを備える、請求項１に記載の薬剤送達デバイス。
【請求項３】
前記第２の電子データ処理システムは、プログラム命令を受信するように適合される、請求項１または２に記載の薬剤送達デバイス。
【請求項４】
前記第１の電子データ処理システムは、前記放出手段によって前記リザーバから放出される薬剤の用量値を表示するための、前記第１の電子データ処理システムによって制御される第１のディスプレイ（３０１）を備え、
前記第２の電子データ処理システムは、前記第２の電子データ処理システムによって制御される第２のディスプレイ（３０２）を備える、請求項１〜３のいずれか一項に記載の薬剤送達デバイス（３００）。
【請求項５】
前記第１のディスプレイおよび第２のディスプレイは単一のディスプレイユニット（１１１）に組み込まれる、請求項４に記載の薬剤送達デバイス。
【請求項６】
前記第２の電子データ処理システムは、推奨される薬剤用量が計算され、前記第２のディスプレイ上に表示されることを可能にするプログラム命令およびユーザ入力データを受信するように適合される、請求項４または５に記載の薬剤送達デバイス。
【請求項７】
前記第１の電子データ処理システムによって捕捉されたデータを送信するための、前記第１の電子データ処理システムによって制御される第１の送信手段をさらに備える、請求項１〜６のいずれか一項に記載の薬剤送達デバイス。
【請求項８】
前記第１の送信手段はデータを無線送信するように適合される、請求項７に記載の薬剤送達デバイス。
【請求項９】
前記第２の電子データ処理システムによって処理されたデータを送信するための、前記第２の電子データ処理システムによって制御される第２の送信手段をさらに備える、請求項１〜８のいずれか一項に記載の薬剤送達デバイス。
【請求項１０】
前記第２の送信手段はデータを無線送信するように適合される、請求項９に記載の薬剤送達デバイス。
【発明の詳細な説明】
【技術分野】
【０００１】
本発明は、薬剤送達におけるデータを取り扱うための機器に関する。特に、本発明は、薬剤送達デバイスによって生成されるデータおよび外部ソースから薬剤送達デバイスに供給されるデータを安全に取り扱う問題に対処する。
【背景技術】
【０００２】
本発明の開示においては、インスリンの送達による糖尿病の治療を最も参照するが、これは本発明の例示的な用途に過ぎない。
【０００３】
薬剤導入デバイスは、薬剤および生物学的作用物質を自己投与しなければならない患者の生活を大きく改善している。薬剤導入デバイスは、導入手段を有するアンプルと大差のない単純な使い捨てデバイスを含む多くの形態をとる場合があり、または、事前充填されたカートリッジとともに使用されるように適合された耐久性デバイスである場合もある。それらの形態およびタイプにかかわらず、それらは、患者が導入可能薬剤および生物学的作用物質を自己投与するのを補助するのに大きな助けになることが分かっている。それらはまた、介護人が、自己導入を実行することが不可能な者に導入可能医薬を投与することも大いに補助する。
【０００４】
適切な時刻に適切な量で必要なインスリン導入を実行することが、糖尿病に対処するのに必要不可欠である、すなわち、指定のインスリン処方計画を遵守することが重要である。医療関係者が規定の投与パターンの有効性を判定するのを可能にするために、糖尿病患者には、各導入の量および時刻の記録をとっておくことが推奨される。しかしながら、そのような記録は通常手書きのノートにとられており、その記録から、情報は、データ処理のためにコンピュータに容易にアップロードすることはできない。それゆえ、医薬送達システムからの情報の取り出しを自動化することが望ましい。それに応じて、モータ投与装置のような、それ自体が電子的に制御されるデバイスのための、または、参照により本明細書に組み込まれる、米国特許第６，５８５，６９８号明細書、米国特許出願公開第２００９／０３１８８６５号明細書および米国特許出願公開第２０１１／０２７０２１４号明細書に開示されているような耐久型もしくは事前充填型のいずれかであってもよい、それ自体は機械的に操作される薬剤送達デバイスのためのいずれかの、この監視／取得機構をデバイス自体に組み込んだ、自己導入のための導入デバイスが提案されている。後者のデバイスは、空になった後は廃棄されることになり、費用がかからないため、デバイス自体に電子データ取得機能を内蔵することはコスト効率的ではない。それに応じて、導入デバイス上または中に置かれる別個のデバイス、すなわち、何らかの種類の付属物、たとえば、導入デバイスに対するアドオンモジュール内にデータ取得／監視機能を設けることが提案されている。たとえば、国際公開第２０１０／０９８９２７号パンフレットは、薬剤送達ペンに取り付けられるように構成されている医療モジュールを開示しており、当該モジュールは、選択および放出された投与量ならびに他のデータを検出および記憶するように適合されている。
【０００５】
導入デバイスによって医療手当を受けている多くの患者にとって、いくつかの指導、支持および補完システム、たとえば、どこに導入すべきかの表示情報、準備の仕方の表示情報、ならびに、患者または別の装置によって提供される、食事、血糖測定値および入力に基づく投与提案によって支持され得る場合に、自身の規定の手当および治療をより良好に遵守することが可能になるであろう。ｄｉａｂｅｔｅｓｎｅｔ．ｃｏｍにおいて公開されている記事「Ｔｈｅ  Ｓｍａｒｔ  Ｉｎｓｕｌｉｎ  Ｐｅｎ」において、用量データを記録するとともに、ＰＣから送信されたデータによる食物データベースを含むことができる薬剤送達デバイスが提案されている。
【先行技術文献】
【特許文献】
【０００６】
【特許文献１】米国特許第６，５８５，６９８号明細書
【特許文献２】米国特許出願公開第２００９／０３１８８６５号明細書
【特許文献３】米国特許出願公開第２０１１／０２７０２１４号明細書
【特許文献４】国際公開第２０１０／０９８９２７号パンフレット
【非特許文献】
【０００７】
【非特許文献１】「Ｔｈｅ  Ｓｍａｒｔ  Ｉｎｓｕｌｉｎ  Ｐｅｎ」（ｄｉａｂｅｔｅｓｎｅｔ．ｃｏｍにおいて公開）
【発明の概要】
【発明が解決しようとする課題】
【０００８】
上記を考慮して、本発明の目的は、データおよびコードを捕捉および処理するための電子回路を備えた薬剤送達デバイスのユーザを安全に支持および誘導するデバイスおよび方法を提供することである。
【課題を解決するための手段】
【０００９】
本発明の開示において、上記の目的のうちの１つまたは複数に対処する、または、下記の開示および例示的な実施形態の説明から明らかになる目的に対処する実施形態および態様を説明する。
【００１０】
導入デバイス上で所望されているいくつかの機能について、電子通信ポートが必要とされているが、そのような通信ポートを実装するときには、デバイスの主要な安全関連機能、たとえば、薬剤送達デバイスによって放出された薬剤の量を表す用量データの捕捉に干渉する危険性が常にある。この危険性は、電子通信部が、プログラム自体の更新、または、デバイス内に実装されているマイクロ・コントローラ・システムを制御するプログラムに対する補強または変更のためにも所望される場合にはるかに増大する。しかし、いくつかの機能は多くの場合、より長いまたはより短い期間にわたって特定の作業に取り組むために、ちょうど携帯電話ネットワーク内のアプレットのように、「必要なときにダウンロード」する要件に応じて所望される。そのマイクロコントローラのプログラムを追加または変更することが可能なそのようなシステムにおける問題は、マルウェアまたはエラーを含む場合に導入デバイスの主要な機能を危険にさらし得ることである。
【００１１】
したがって、本発明の第１の態様において、薬剤送達デバイスであって、薬剤リザーバまたは薬剤リザーバを受け入れるための手段と、一定量の薬剤をリザーバから放出するための薬剤放出手段であって、当該薬剤放出手段は、ユーザが薬剤リザーバから放出されるべき用量を設定することを可能にする設定手段と、設定された用量を放出するために当該薬剤放出手段を駆動または解放するための作動手段とを備える、薬剤送達デバイスが提供される。デバイスは、放出手段によってリザーバから放出される薬剤の量に関連する特性を表すデータを捕捉および記憶するように適合されている第１の電子データ処理システムと、外部ソースからのデータを受信および記憶するように適合されている第２の電子データ処理システムとをさらに備え、デバイスは、第２の電子データ処理システムによって処理されたコードまたはデータが第１の電子データ処理システムによって処理されることを許可しないように構成される。
【００１２】
デバイスは、たとえば、ハードウェア設計によって、第２の電子データ処理システムから第１の電子データ処理システムへコードまたはデータが転送されることを許可しないようにさらに構成されてもよく、または、第１の電子データ処理システムと第２の電子データ処理システムとの間のコードおよびデータの転送は第１の電子データ処理システム内に組み込まれている有効性検証済ソフトウェアによって制御されてもよく、当該有効性検証済ソフトウェアは、第２の電子データ処理システムからのコードおよびデータが第１の電子データ処理システムによって処理されることを妨げる。第１の電子データ処理システムは第１のプロセッサを備えてもよく、第２の電子データ処理システムは第２のプロセッサを備えてもよい。第２の電子データ処理システムは、たとえば、ユーザ選択のアプリケーションソフトウェアがシステム上で実行されることを可能にするプログラム命令、または、プログラムもしくはプログラムの一部の別のバージョンへの更新を受信するように適合されてもよい。
【００１３】
例示的な実施形態において、第１の電子データ処理システムは、放出手段によってリザーバから放出される薬剤の用量値を表示するための、第１の電子データ処理システムによって制御される第１のディスプレイを備え、第２の電子データ処理システムは、第２の電子データ処理システムによって制御される第２のディスプレイを備え、これらは２つの別個のディスプレイとして、または、単一のディスプレイユニットに組み込まれるかのいずれかである。第２の電子データ処理システムは、たとえば、推奨される薬剤用量が計算され、第２のディスプレイ上に表示されることを可能にするプログラム命令およびユーザ入力データを受信するように適合されてもよく、または、ソーシャルネットワークに参加するのに使用されてもよい。
【００１４】
薬剤送達デバイスは、第１の電子データ処理システムによって捕捉されたデータを送信するための、第１の電子データ処理システムによって制御される第１の送信手段、および／または、第２の電子データ処理システムによって処理されたデータを送信するための、第２の電子データ処理システムによって制御される第２の送信手段をさらに備えてもよい。送信手段は、データを有線または無線で送信するように適合されてもよい。
【００１５】
薬剤送達デバイスは、たとえば、互いに対して解放可能に取付可能である、薬剤送達ユニットと、結合データ捕捉・データ管理ユニットとを備えるモジュール式設計から成ってもよく、これによって、薬剤送達ユニットが使い捨て事前充填設計から成ることが可能になり、または、薬剤送達デバイスは、統合データ捕捉手段を備える単一薬剤送達デバイスの形態であってもよい。
【００１６】
本明細書において使用される場合、「インスリン」という用語は、溶液、ゲルまたは微細懸濁液のような、カニューレまたは中空針のような送達手段を制御された様式で通過することが可能な流動可能医薬を含み、血糖管理効果を有する任意の薬剤、たとえば、ヒトインスリンおよびその類似体、ならびに、ＧＬＰ−１およびその類似体のような非インスリンを包含するように意図されている。例示的な実施形態の説明においては、インスリンの使用が参照される。
【００１７】
以下、本発明を図面を参照しながらさらに説明する。
【図面の簡単な説明】
【００１８】
【図１】データ処理のために適合された電子的手段を備えるペン型薬剤送達デバイスを示す図である。
【図２】薬剤送達デバイスのためのアーキテクチャの概略図である。
【図３】携帯電話と組み合わされた薬剤送達デバイスの概略図である。
【発明を実施するための形態】
【００１９】
図面において、同様の構造は主に同様の参照符号によって識別される。
【００２０】
以下において「上側（ｕｐｐｅｒ）」および「下側（ｌｏｗｅｒ）」、「右（ｒｉｇｈｔ）」および「左（ｌｅｆｔ）」、「水平（ｈｏｒｉｚｏｎｔａｌ）」および垂直（ｖｅｒｔｉｃａｌ）」のような用語、または類似の相対的な表現が使用されるとき、これらは、添付の図面を参照するに過ぎず、必ずしも実際の使用状況を参照するものではない。示されている図面は概略表現であり、そのため、種々の構造の構成およびそれらの相対的な寸法は、例示の目的を果たすように意図されているに過ぎない。
【００２１】
図１は、互いに対して解放可能に取付可能であるペン形状薬剤送達ユニットおよび結合データ捕捉・データ管理ユニットを備えるモジュール式薬剤送達デバイスの一実施形態を示すが、図面は、統合データ捕捉手段を備える単一薬剤送達デバイスをも表し得る。薬剤送達デバイス自体は、結合データ捕捉・データ管理ユニットに必要な入力を提供する任意の望ましい設計から成り得るが、図示の実施形態は、用量の設定中にバネに負荷がかけられ、これによって、設定および負荷をかけられた機構がユーザによって解放されるときにバネ駆動薬剤放出が可能になるペンの型を表しており、これによって、用量設定中に解放（または起動）ボタンが軸方向に固定した設計が可能になる。そのようなペンのより詳細な説明は、参照により本明細書に組み込まれる、米国特許出願公開第２００９／０５４８３９号明細書、米国特許出願公開第２００８／３０６４４６号明細書および米国特許出願公開第２００８／２３４６３４号明細書に見出すことができる。
【００２２】
より具体的には、そのようなペン型の薬剤送達デバイスは、主に円筒形のハウジング部分を有する近位端部と、放出機構によって駆動される軸方向可動ピストンを有する薬剤カートリッジを備える遠位端部とを備える。ペンは、ユーザが、カートリッジから放出されるべき可変用量サイズを所与の増分（たとえば、１ＩＵインスリン）ずつ設定および調整すること（すなわち、ダイヤルアップおよびダイヤルダウン）を可能にする回転可能用量設定リング部材を備え、実際の用量サイズ（たとえば、２５ＩＵインスリン）は、ウィンドウ内に示される数によって示され、この数は、回転用量ドラム部材（図１においては見えない）上に配列されている。１回の投与中に送達することができる薬剤の最大量は、導入デバイスによって規定される。たとえば、導入デバイスは、１回の投与中に１ＩＵインスリン〜８０ＩＵインスリンの可変用量を送達してもよい。近位端部に押しボタンが配置されており、ユーザが遠位に押すと放出機構を解放するように適合されている。機構が解放されると、設定された用量がカートリッジから放出され、それに応じて、用量ドラムが回転してその初期ゼロ位置に戻る。ユーザが解放ボタンを押すのを止めたときに放出が停止するように機構が設計されている場合、ウィンドウ内の数表示は、用量の、また放出されていない部分（たとえば、単位数）、たとえば、１０単位のインスリンを示す。
【００２３】
上述の型の薬剤送達ペンに基づいて、図１は、ペン形状薬剤送達ユニットおよび結合データ捕捉・データ管理ユニットを備えるモジュール式薬剤送達デバイス１００の一実施形態を示しており、これらのユニットは堅固に、しかし互いに対して解放可能に取付可能である。デバイスは、回転可能用量設定部材１２０と、初期位置、中間位置、および、放出手段が設定された用量を放出するために作動される作動位置の間で動くように適合されている、近位に配置された解放ボタン１３０とを備える。薬剤送達デバイスの遠位リザーバ部はキャップ部材１５０によって被覆されている。結合データ捕捉・データ管理ユニット１１０は、放出手段（下記参照）によってリザーバから放出される薬剤の量に関連する特性を表すデータを捕捉するための電子検出手段と、データ捕捉を開始するためのスイッチ手段とを備え、スイッチ手段は、解放ボタンがその初期位置からその中間位置に動くと作動される。結合データ捕捉・データ管理ユニットはまた、たとえば、最後の放出動作の時刻および用量サイズを示すように適合されている結合ディスプレイ１１１、ならびに、ユーザが、たとえば、いくつかの最近の時刻−用量記録および／または他の機能の間で切り替えることを可能にするボタン１１２をも備える。結合データ捕捉・データ管理ユニットは、外部デバイスからデータを有線または無線でダウンロードするための入力ポートをさらに設けられ、ちょうどそのように、たとえば、ユーザのスマートフォンまたは医師のＰＣにデータをアップロードするための出力ポートを設けられてもよい。
【００２４】
たとえば、データ捕捉機能に加えて、図１の薬剤送達デバイスは、当該デバイスにダウンロードされているボーラス計算機を設けられてもよく、これによって、実装されるアルゴリズムおよび提供される機能の両方に関して最新であるボーラス計算機が提供される。デバイスは、血糖（ＢＧ）データをＢＧメータから受信するようにさらに適合されてもよく、または代替的には、ＢＧメータを備えてもよい。システムが１つのみのボタンを有する非常に単純なユーザインターフェースを設けられるため、システムに対する食事入力データは、たとえば、スマートフォンからダウンロードされ得、そのようなデバイスは、食事データおよび他の食事関連データを容易に入力することを可能にする。
【００２５】
薬剤送達デバイスが一般的にボックス形状の構成を有するモータ投与装置の形態で提供される場合、デバイスに、ユーザが生成するデータ、たとえば、食事関連データを容易に直接入力することを可能にする、相対的に大きいタッチディスプレイを設けることが可能である。さらに、より大きいディスプレイによって、たとえば、ＢＧ値および用量データのようなデータをグラフ形式で提示する日記のようなより高度な機能を提供することにも関連する。そのような日記機能は、ダウンロード可能な「アプリ」ソフトウェアとして提供することもできる。
【００２６】
図２は、高度な安全性を提供する電子システムを備える薬剤送達デバイスのための例示的なアーキテクチャの概略表現である。
【００２７】
より具体的には、システム２００は２つのサブシステムを備え、第１のシステム２０１は導入デバイス部２１０および関連電子回路を備え、第２のシステム２０２は主に電子回路を備える。導入デバイス部は、薬剤リザーバ（または薬剤リザーバを受け入れるための手段）と、一定量の薬剤をリザーバから放出するための薬剤放出手段とを備え、当該薬剤放出手段は、ユーザが薬剤リザーバから放出されるべき用量を設定することを可能にする設定手段と、設定された用量を放出するために当該薬剤放出手段を駆動または解放するための作動手段とを備える。導入デバイス部は、図１に関連して説明したような機械型であってもよく、または、電子制御モータ投与装置型であってもよい。第１のシステムは、放出手段によってリザーバから放出される薬剤の量に関連する特性を表すデータ、たとえば、インスリンの単位数を捕捉および記憶するように適合されている第１のマイクロプロセッサ制御電子データ処理システム２１５と、ユーザに、たとえば、放出されるインスリンの単位数を示すための、第１のマイクロプロセッサ制御電子データ処理システムによって制御される第１のディスプレイ２１６とをさらに備える。第１のシステムは、導入デバイスを制御するための入力および／または出力を提供するために、機械的放出アセンブリについては、たとえば、位置スイッチ、光トランスデューサならびに／または、機械的情報を電子情報におよび／もしくはその逆に変換することが可能な他のデジタルおよび／もしくはアナログ電子回路部であり得る、送達部と電子システムとの間のインターフェースをも備える。第１のシステムは、第１の電子データ処理システムによって捕捉されたデータを有線または無線で送信するための、第１の電子データ処理システムによって制御される第１の送信手段（図示せず）をさらに設けられてもよい。
【００２８】
第２のシステム２０２は、１つまたは複数の外部ソースからのデータを受信および記憶するように適合されている第２のマイクロプロセッサ制御電子データ処理システム２２５と、情報をユーザに対して表示するための、第２のマイクロプロセッサ制御電子データ処理システムによって制御される第２のディスプレイ２２６とを備える。たとえば、第２の電子データ処理システムは、いくつかのＩ／Ｏ入出力ポート２２１、２２２、２２３を介してプログラム命令、ＢＧデータおよびユーザ入力データを受信するように適合されてもよく、たとえば、推奨される薬剤用量を計算して第２のディスプレイ上に表示することを可能にする。第２のシステムは、第２の電子データ処理システムによって処理されたデータを有線または無線で送信するための、第２の電子データ処理システムによって制御される第２の送信手段（図示せず）をさらに設けられてもよい。
【００２９】
一方向矢印２３０によって示されるように、結合システムは、第２の電子データ処理システムによって処理されたコードまたはデータが、第１の電子データ処理システムによって処理されることは許可しないように構成される。たとえば、システムは、第１の電子システムと第２の電子システムとの間のデータ転送が、システム１からシステム２へデータを転送することは可能であるが、反対方向にコードもしくはデータを転送することは可能でない一方向データ転送ポート、たとえば、単方向ＦＩＦＯ（先入れ先出しバッファ）によって制御されるか、または、システム１を書き込みのみが可能であるようにし、システム２をこの通信手段からの読出しのみが可能であるようにするための割り当てハードウェアの支持を有するパラレル・デュアル・ポートＲＡＭ（ランダム・アクセス・メモリ）によって実装される設計によって、コードまたはデータが第２の電子データ処理システムから第１の電子データ処理システムへ転送されることを許可しないように構成されてもよい。第１の電子データ処理システムと第２の電子データ処理システムとの間のコードおよびデータの転送はまた、第１の電子データ処理システム内に組み込まれている有効性検証済ソフトウェアによって制御されてもよく、当該有効性検証済ソフトウェアは、第２の電子データ処理システムからのコードおよびデータが第１の電子データ処理システムによって処理されることを妨げる。システム１内の有効性検証済コードは、たとえば、ＳＰＩポート（シリアル周辺インターフェースバス）のような標準的な通信ポートを有するマイクロプロセッサ上で実施することができる。有効性検証は、所与のアプリケーションまたは市場に対する安全性要件が、所与の有効性検証標準規格、たとえば、医療デバイスの危険性管理に使用されるＩＳＯ／ＥＮ１４９７１に準拠したシステムによって客観的に満たされ得ることを保証する。
【００３０】
第１の電子データ処理システムおよび第２の電子データ処理システムは、電子回路のいくつかを共有するように設計されてもよく、たとえば、共通のエネルギー源を設けられてもよい。２つのサブシステム間のデータおよびコードの転送の防止に対する要件が満たされていることを所与として、システムは、メモリおよびプロセッサリソースの一部のようなさらなる構成要素を共有してもよい。異なる複数の種類のデータが異なる複数のレベルのデータ安全性を表し得ることをユーザに示すために、上述の２つのディスプレイは、これを直接示すように構成されてもよい。たとえば、２つのディスプレイは完全に別個であってもよく、または、共通のディスプレイ部材を分割して、各サブシステムに１つの、２つの専用領域にすることによって設けられてもよい。
【００３１】
図３は、携帯電話の形態の外部電子デバイス３５０と組み合わされた電子制御モータ投与装置３００を示す。図示の実施形態において、モータ投与装置には、相対的に大きいディスプレイ３０１、３０２が設けられており、携帯電話には相対的に小さいディスプレイ３５１が設けられているが、これは一例に過ぎない。示されているように、２つのユニット双方向無線通信に適合されている。
【００３２】
通信を使用していくつかの目的のためにデータを転送することができる。たとえば、携帯電話を、たとえばインターネットからアプリケーションソフトウェアをダウンロードするための手段として使用することができ、当該ソフトウェアはその後、モータ投与装置の電子制御システムの第２の「オープンな」部分に送信される。それに応じて、モータ投与装置の電子制御システムの第１の「閉じた」部分によって捕捉された情報が、たとえばオープンな部分からのデータ、たとえばＢＧメータ（図示せず）からモータ投与装置に転送されるＢＧ値と組み合わせて、たとえば患者の医師に後にアップロードするために携帯電話に転送され得る。
【００３３】
例示的な実施形態の上記の記載において、種々の構成要素について記載された機能を提供する種々の構造および手段が、本発明の概念が当業者に認められる程度に説明された。種々の構成要素の詳細な構成および仕様は、本明細書に記載した方針に沿って当業者によって実行される通常の設計手順の対象と考えられる。
【図１】
2014524297.tif 000003
【図２】
2014524297.tif 000004
【図３】
2014524297.tif 000005
【国際調査報告】
2014524297.tif 000006
2014524297.tif 000007